(57)【要約】【課題】簡易な構成で、冷却効率が高く、小型化，静音化が可能なプロジェクタを提供すること。【解決手段】内部に気体が封入された密閉空間とされ、該密閉空間内に光源を除く光学素子１２２，１２３，１２４が収納された収納体１０と、内部に封入された液体により収納体１０内の光学素子１２２，１２３，１２４の熱が伝達される熱伝達手段と、液体及び気体を冷却する冷却装置と、液体を熱伝達手段と冷却装置との間で循環させる液体循環手段と、収納体１０内の気体を循環させる気体循環手段とを備えることを特徴とする。【選択図】図１
2007240646.tif 000002
【特許請求の範囲】
【請求項１】
光源を含む光学素子を備えたプロジェクタであって、
内部に気体が封入された密閉空間とされ、該密閉空間内に前記光源を除く前記光学素子が収納された収納体と、
内部に封入された液体により前記収納体内の光学素子の熱が伝達される熱伝達手段と、
前記液体及び前記気体を冷却する冷却手段と、
前記液体を前記熱伝達手段と前記冷却手段との間で循環させる液体循環手段と、
前記収納体内の気体を循環させる気体循環手段とを備えることを特徴とするプロジェクタ。
【請求項２】
前記収納体内の光学素子が、透過型の液晶素子であり、
前記熱伝達手段が、前記液晶素子の画像形成領域の周囲に配置されることを特徴とする請求項１に記載のプロジェクタ。
【請求項３】
前記冷却手段が、前記収納体内に配置され前記収納体内の気体の熱を吸熱する吸熱部材と、前記吸熱部材の少なくとも一部と熱的に接続されるとともに前記液体を蓄積する液体蓄積部と、前記収納体の外部に配置されるとともに少なくとも一部が前記液体蓄積部と熱的に接続された外部冷却装置とを備えることを特徴とする請求項１または請求項２に記載のプロジェクタ。
【請求項４】
前記液体蓄積部が、前記収納体内に配置されていることを特徴とする請求項３に記載のプロジェクタ。
【請求項５】
前記冷媒蓄積部及び前記吸熱部材が、ヒートパイプにより前記外部冷却装置と熱的に接続されていることを特徴とする請求項３または請求項４に記載のプロジェクタ。
【請求項６】
前記吸熱部材が、前記収納体内の気体を前記光学素子周辺に拡散させる拡散部を備えることを特徴とする請求項３から請求項５のいずれか１項に記載のプロジェクタ。
【請求項７】
前記収納体の一部に開口部が形成され、該開口部に前記光学素子が嵌合されていることを特徴とする請求項１から請求項６のいずれか１項に記載のプロジェクタ。
【請求項８】
前記気体が、不活性ガスであることを特徴とする請求項１から請求項７のいずれか１項に記載のプロジェクタ。
【発明の詳細な説明】
【技術分野】
【０００１】
本発明は、プロジェクタに関する。
【背景技術】
【０００２】
近年、光変調素子を使用した画像表示装置として、液晶パネルなどの液晶表示素子に光源から射出された光を照射し、入射した光を光変調素子によって変調した後、変調された光をスクリーンに投影するものがある。このような画像表示装置において、スクリーンに投射される光以外は、光変調素子やその周辺の光学素子などに吸収されて熱が発生する。そこで、この発生した熱を放熱するための冷却装置を備えた装置が提案されている。（例えば、特許文献１及び特許文献２参照。）。
【０００３】
特許文献１に記載の画像投影装置は、ケーシング内に、ハロゲンランプ等の光源と、光源を囲む凹部を有する熱吸収体と、所定のカラー画像を形成するカラー液晶パネルと、カラー液晶パネルを透過した光をスクリーンに投影するレンズと、内部の空気を循環させる循環ファンとを備えている。このケーシングの外側には、金属製の放熱体と、放熱体の放熱を促進させるファンと、放熱体と熱吸収体とを接続したヒートパイプとが設けられ、光源により生じた発熱を熱吸収体から放熱体に熱伝導させて放熱し、冷却することができるようになっている。
【０００４】
また、特許文献２に記載の液晶プロジェクタは、液晶パネル及び入射側の偏光板に貼着されたヒートパイプ方式の冷却器を備えている。この冷却器は、一対のガラス基板に作動液が挟持され、上端に放熱フィンが取り付けられている。そして、光源から射出された光が、液晶パネルに照射されると、偏光板及び液晶パネルは光を吸収して熱が発生する。この発生した熱は、作動液により、上部へ伝導され、上端に設けられた放熱フィンにより放熱される。
【特許文献１】特開平２−１３０５４２号公報
【特許文献２】特開平３−１２６０１１号公報
【発明の開示】
【発明が解決しようとする課題】
【０００５】
しかしながら、上記特許文献１に記載の画像投影装置では、光源を含めた全光学系がケーシング内に設けられているため、発生する熱量が大きく、ケーシング内の温度を下げるために、熱吸収体及び放熱体が大型化してしまう。また、光源がケーシング内部にあるため、ランプの交換が困難である。
また、発熱する光源，カラー液晶パネル等の冷却を空冷のみで行うため、相当な風量が必要である。したがって、ケーシング内の気体を循環させるために、循環ファンの大型化や回転数の上昇を招き、ケーシングの大型化や騒音の増大を引き起こすことになる。
【０００６】
また、特許文献２に記載の液晶プロジェクタは、ヒートパイプの特性上、液晶パネルや偏光板の全周（４辺全て）にヒートパイプを配置することが困難である。さらに、ガラス基板に作動液が挟持されているため、作動液の熱は、ガラス基板を介して放熱フィンより放熱されるので、熱伝導率が悪く、液晶パネルの中央部の温度は十分に下がらないという問題が生じる。
【０００７】
本発明は、上記の課題を解決するためになされたものであって、簡易な構成で、冷却効率が高く、小型化，静音化が可能なプロジェクタを提供することを目的とする。
【課題を解決するための手段】
【０００８】
上記目的を達成するために、本発明は、以下の手段を提供する。
本発明のプロジェクタは、光源を含む光学素子を備えたプロジェクタであって、内部に気体が封入された密閉空間とされ、該密閉空間内に前記光源を除く前記光学素子が収納された収納体と、内部に封入された液体により前記収納体内の光学素子の熱が伝達される熱伝達手段と、前記液体及び前記気体を冷却する冷却手段と、前記液体を前記熱伝達手段と前記冷却手段との間で循環させる液体循環手段と、前記収納体内の気体を循環させる気体循環手段とを備えることを特徴とする。
【０００９】
本発明に係るプロジェクタでは、液体循環手段により液体を循環させ、熱伝達手段により収納体内の光学素子の熱が液体に伝達される。そして、熱を受けた液体は、冷却手段により冷却され、液体循環手段により、再び光学素子の熱が、冷却された流体に伝達される。この繰り返しにより、収納体内の光学素子は冷却される。そして、液体により収納体内の光学素子を冷却するのと同時に、気体による冷却が行われる。すなわち、気体循環手段により収納体内の気体を循環させ、収納体内の光学素子の熱が気体に伝達される。そして、熱を受けた気体は、冷却手段により冷却され、光学素子は冷却される。
【００１０】
このように、収納体内には光源が配置されていないため、収納体内の光学素子を効率良く冷却することができ、さらには、光源のランプ等の交換が容易である。また、液体及び気体により収納体内の光学素子を冷却するため、放熱効率の高くなるので、収納体内の光学素子の冷却に必要な気体の流量を減らすことができる。したがって、気体循環手段の大きさ及び駆動を最小限に抑えることができ、プロジェクタ全体の小型化及び静音化が可能となる。また、光学素子として、例えば、液晶パネルを用いた場合、パネル中央部の温度も十分に下げることが可能となる。
さらには、液体及び気体は共通の冷却手段により冷却されるため、プロジェクタ全体の小型化を図ることが可能となる。また、収納体は密閉されているため、収納体内を気体が循環する際、塵埃等の侵入がないので、収納体内の光学素子を良好な状態に保つことができる。
【００１１】
また、本発明のプロジェクタは、前記収納体内の光学素子が、透過型の液晶素子であり、前記熱伝達手段が、前記液晶素子の画像形成領域の周囲に配置されることが好ましい。
【００１２】
本発明に係るプロジェクタでは、熱伝達手段が液晶素子の画像形成領域の周囲に配置されているため、表示画像に寄与しない画像形成領域の周囲において、液体により液晶素子を冷却し、表示画像に寄与する画像形成領域内は、気体により冷却することになる。したがって、液体による冷却だけでなく、さらに気体により液晶素子を冷却することにより、画像形成領域内の温度ムラを抑えることができ、その結果、液晶素子から射出される画像は鮮明なものとなる。さらに、液晶素子の画像形成領域の周囲において液体により冷却しているため、画像に影響を及ぼすことなく、液晶素子を冷却することができる。
【００１３】
また、本発明のプロジェクタは、前記冷却手段が、前記収納体内に配置され前記収納体内の気体の熱を吸熱する吸熱部材と、前記吸熱部材の少なくとも一部と熱的に接続されるとともに前記液体を蓄積する液体蓄積部と、前記収納体の外部に配置されるとともに少なくとも一部が前記液体蓄積部と熱的に接続された外部冷却装置とを備えることが好ましい。
【００１４】
本発明に係るプロジェクタでは、熱伝達手段において熱が伝達された液体は、液体蓄積部と熱的に接続された外部冷却装置により、外部に放熱される。また、収納体内を循環している気体は、吸熱部材により冷媒蓄積部を介して外部冷却装置より放熱される。すなわち、液体及び気体の熱は、冷却装置により、同時に放熱されるため、収納体内の光学素子を効率良く冷却することが可能となる。
【００１５】
また、本発明のプロジェクタは、前記液体蓄積部が、前記収納体内に配置されていることが好ましい。
本発明に係るプロジェクタでは、収納体内に液体蓄積部が配置されているため、収納体の配置が容易になる。
【００１６】
また、本発明のプロジェクタは、前記冷媒蓄積部及び前記吸熱部材が、ヒートパイプにより前記外部冷却装置と熱的に接続されていることが好ましい。
本発明に係るプロジェクタでは、ヒートパイプにより、外部冷却装置の配置の自由度が増すため、よりプロジェクタ全体を小型化することが可能となる。また、より冷却効率の良い場所に、外部冷却装置を配置することができる。
【００１７】
また、本発明のプロジェクタは、前記吸熱部材が、前記収納体内の気体を前記光学素子周辺に拡散させる拡散部を備えることが好ましい。
本発明に係るプロジェクタでは、吸熱部材が拡散部を備えているため、収納体内の気体は拡散部により拡散される。したがって、この拡散部により、気体循環手段だけでなく、気体は循環されるので、気体循環手段の駆動を最小限に抑えることができるため、気体循環手段の駆動による騒音をさらに抑えることが可能となる。
【００１８】
また、本発明のプロジェクタは、前記収納体の一部に開口部が形成され、該開口部に前記光学素子が嵌合されていることが好ましい。
本発明に係るプロジェクタでは、収納体の開口部に例えば、レンズ等の光学素子を嵌合させることにより、光学素子の配置が容易になるとともに、収納体内の気体により光学素子を冷却することが可能となる。
【００１９】
また、本発明のプロジェクタは、前記気体が、不活性ガスであることが好ましい。
本発明に係るプロジェクタでは、気体が不活性ガスとして、例えば、窒素ガス，アルゴンガス等を用いることにより、収納体内の気体を循環させる際、収納体内の光学素子に対して影響を及ぼすことなく、光学素子を良好な状態に保ちつつ冷却することが可能となる。
【発明を実施するための最良の形態】
【００２０】
以下、図面を参照して、本発明に係るプロジェクタの実施形態について説明する。なお、以下の図面においては、各部材を認識可能な大きさとするために、各部材の縮尺を適宜変更している。
【００２１】
［第１実施形態］
図１は、プロジェクタ１の概略構成を模式的に示す図であり、図２は、収納体を示す平面図であり、図３は、図２のＡ−Ａ線における矢視図であり、図４は、図２のＢ−Ｂ線における矢視図であり、図５は、図１の収納体内の吸熱部材を示す平面図である。
プロジェクタ１は、光源から射出される光束を画像情報に応じて変調して光学像を形成し、形成した光学像をスクリーン上に拡大投射するものである。
【００２２】
本実施形態のプロジェクタ１（画像表示装置）は、図１に示すように、光源１１０、ダイクロイックミラー１１３，１１４、反射ミラー１１５，１１６，１１７、入射レンズ１１８、リレーレンズ１１９、出射レンズ１２０、液晶パネル（光学素子）１２２，１２３，１２４、クロスダイクロイックプリズム１２５、投射レンズ１２６から構成されている。
光源１１０は、高圧水銀ランプ、メタルハライドランプ等のランプ１１１と、ランプの光を反射するリフレクタ１１２とから構成されている。
【００２３】
ダイクロイックミラー１１３は、光源１１０からの白色光に含まれる赤色光を透過させるとともに、青色光と緑色光とを反射する機能を有している。ダイクロイックミラー１１４は、青色光を透過させるとともに、緑色光を反射する機能を有している。よって、ダイクロイックミラー１１３を透過した赤色光は反射ミラー１１７で反射されて、赤色光用液晶ライトバルブ１２２に入射される。また、ダイクロイックミラー１１３で反射された緑色光は、ダイクロイックミラー１１４によって反射され、緑色光用液晶ライトバルブ１２３に入射される。
【００２４】
さらに、ダイクロイックミラー１１３で反射された青色光は、ダイクロイックミラー１１４を透過する。青色光に対しては、長い光路による光損失を防ぐため、入射レンズ１１８、リレーレンズ１１９および出射レンズ１２０を含むリレーレンズ系からなる導光手段１２１が設けられている。この導光手段１２１を介して青色光が青色光用液晶ライトバルブ１２４に入射される。
【００２５】
各液晶ライトバルブによって変調された３つの色光は、クロスダイクロイックプリズム１２５に入射する。このクロスダイクロイックプリズム１２５は４つの直角プリズムを貼り合わせたものであり、その界面には赤光を反射する誘電体多層膜と青光を反射する誘電体多層膜とがＸ字状に形成されている。これらの誘電体多層膜により３つの色光が合成されて、カラー画像を表す光が形成される。合成された光は、投射光学系である投射レンズ１２６によってスクリーン１２７上に投影され、画像が拡大されて表示される。
【００２６】
また、プロジェクタ１には、図１及び図２に示すように、収納体１０が設けられている。この収納体１０内には、光学素子として透過型の３枚の赤色光用の液晶パネルを１２２、緑色光用の液晶パネルを１２３、青色光用の液晶パネルを１２４と、この液晶パネル１２２，１２３，１２４の光束入射側及び光束射出側に配置される光学変換素子としての３つの入射側偏光板１２８及び３つの射出側偏光板１２９と、色合成光学装置としてのクロスダイクロイックプリズム１２５とが設けれている。また、この収納体１０は、窒素ガス（気体）が封入された密閉空間となっている。
【００２７】
また、赤色光用の液晶パネルを１２２は、図２に示すように、収納体１０の側面１０ｂ側に配置されており、緑色光用の液晶パネルを１２３は、投射レンズ５側の収納体１０の前面１０ｄに対向する後面１０ｅ側に配置されており、青色光用の液晶パネルを１２４は、収納体の側面１０ｃ側に配置されている。また、収納体１０には、開口部１１が形成されており、この開口部１１にフィールドレンズ（光学素子）１３０が嵌合されている。このフィールドレンズ１３０は、光源１１０から射出された光を平行な光束に変換するものである。
【００２８】
また、プロジェクタ１は、図３及び図４に示すように、冷却液（液体）により収納体１０内の液晶パネル１２２，１２３，１２４の熱が伝達される冷却管（熱伝達手段）１５と、冷却液を循環させるポンプ（液体循環手段）１６と、収納体１０内に封入された窒素ガスを循環させるクロスフローファン（気体循環手段）１７と、クロスダイクロイックプリズム１２５の下面１２５ａに設けられ冷却液及び窒素ガスを冷却する冷却装置（冷却手段）２０とを備えている。
また、冷却液としては、エチレングリコールあるいはプロピレングルコールの水溶液が用いられ、消泡剤や防錆剤である有機系の化合物などが添加されている。
また、液晶パネル１２２，１２３，１２４には、フレキシブルプリント基板１２２ａ，１２３ａ，１２４ａがそれぞれ設けられている。
【００２９】
冷却管は、図３に示すように、例えば環状の断面を有している。具体的に、冷却管１４は、各液晶パネル１２２，１２３，１２４の画像形成領域Ｌの周囲に、すなわち、各液晶パネル１２２，１２３，１２４の周縁部に沿ってそれぞれ配設されている。また、本実施形態では、冷却管１４の外径は、液晶パネル１２２，１２３，１２４の厚みと同程度である。
【００３０】
ポンプ１６には、図３に示すように、冷却管１５に冷却液を送出する送出部１６ａと、冷却装置２０からの冷却液を吸引する吸引部１６ｂが設けられている。
また、クロスフローファン１７は、図４に示すように、収納体１０の底面１０ａの投射レンズ５側に配置されている。
【００３１】
冷却装置２０は、図４に示すように、気体冷却フィン（吸熱部材）２１と、リザーブタンク（液体蓄積部）２２と、ヒートシンク（外部冷却装置）２３とを備えている。
気体冷却フィン２１は、収納体１０内に配設されており、上面２１ａがクロスダイクロイックプリズム１２５の下面１２５ａに接触して設けられている。また、リザーブタンク２２は、一部が収納体１０から露出するとともに上面２２ａが気体冷却フィン２１の下面２１ｂに接触して設けられている。また、ヒートシンク２３は、収納体１０の外部に設けられ、上面２３ａがリザーブタンク２２の下面２２ｂに接触している。
【００３２】
また、気体冷却フィン２１とリザーブタンク２２とは熱的に接続され、リザーブタンク２２とヒートシンク２３とは熱的に接続されている。すなわち、気体冷却フィン２１は、リザーブタンク２２２を介してヒートシンク２３と熱的に接続されている。
なお、気体冷却フィン２１は、ろう付け，拡散接合といった直接接合または熱伝導グリス等を介した間接接合によって、リザーブタンク２２と熱的に接続されている。
【００３３】
気体冷却フィン２１は、収納体１０の底面１０ａに、図５に示すように、クロスフローファン１７から収納体１０の側面１０ｂ，１０ｃ及び後面１０ｅに向かって放射状に形成された複数のフィン（拡散部）２１ｃを有している。この複数のフィン２１ｃは、図４に示すように、収納体１０の底面１０ａからクロスダイクロイックプリズム１２５の下面１２５ａまでの高さ寸法を有する薄板状のものである。また、隣接するフィン２１ｃにより、図５に示す流路２１ｄが形成されている。
そして、この気体冷却フィン２１の流路２１ｄにより、収納体１０内の窒素ガスを赤色光用の液晶パネル１２２、緑色光用の液晶パネル１２３、青色光用の液晶パネル１２４に送気するようになっている。
【００３４】
リザーブタンク２２は、冷却液を蓄積するものであり、液晶パネル１２２，１２３，１２４からの流入した暖められた冷却液をヒートシンク２３より放熱するようになっている。また、リザーブタンク２２内には、図３に示すように、複数の放熱フィン２２ａが形成されている。
また、気体冷却フィン２１は、収納体１０内の熱を受けた窒素ガスをリザーブタンク２２を介してヒートシンク２３により放熱されるようになっている。
【００３５】
冷却管１４，気体冷却フィン２３，リザーブタンク２２としては、熱伝導率が高い材質からなることが好ましく、例えば、アルミニウム（２３４Ｗ／（ｍ・Ｋ））、銅（３９８Ｗ／（ｍ・Ｋ））、ステンレス（１６Ｗ／（ｍ・Ｋ）（オーステナイト系））あるいはその合金の他、各種金属が適用される。また、冷却管１４，気体冷却フィン２３，リザーブタンク２２は、金属材に限らず、熱伝導率の高い（例えば５Ｗ／（ｍ・Ｋ）以上）他の材料（樹脂材など）でもよい。
【００３６】
次に、以上の構成からなる本実施形態のプロジェクタ１を用いて、液晶パネル１２２，１２３，１２４を冷却液及び窒素ガスにより冷却する方法について説明する。
まず、冷却液による液晶パネル１２２，１２３，１２４の冷却について説明する。
ポンプ１６を駆動させ、ポンプ１６の送出部１６ａより冷却液が冷却管１５に流れる。冷却管１５内に流入した冷却液は、それぞれの液晶パネル１２２，１２３，１２４の熱を受けて暖められ、リザーブタンク２２に流入する。暖められた冷却液は、ヒートシンク２３により放熱され冷却された後、ポンプ１６の吸引部１６ｂよりポンプ１６に流入する。そして、冷却液は、再びポンプ１６の送出部１６ａより冷却管１５に送出される。
【００３７】
次に、窒素ガスによる液晶パネル１２２，１２３，１２４の冷却について説明する。
収納体１０内の窒素ガスは、クロスフローファン１７により、気体冷却フィン２１のそれぞれの流路２１ｄに送られる。そして、窒素ガスは、図５の矢印で示すように、流路２１ｄに沿って、側面１０ｂ，１０ｃ，後面１０ｅに向かって送られ、それぞれの液晶パネル１２２，１２３，１２４に向かう。その後、窒素ガスは、それぞれの液晶パネル１２２，１２３，１２４を通過する際、熱を受けて暖められ、図４の矢印で示すように、収納体１０の上面１０ｆに向かう。収納体の上面１０ｆに向かった窒素ガスは、収納体１０の前面１０ｄを通り、クロスフローファン１７により再び気体冷却フィン２１のそれぞれの流路２１ｄに送られる。暖められた窒素ガスは、気体冷却フィン２１に熱が伝達され、気体冷却フィン２１の熱は、リザーブタンク２２を介してヒートシンク２３より外部に放熱される。そして、冷却された窒素ガスが、流路２１ｄから各液晶パネル１２２，１２３，１２４に向かう。
【００３８】
本実施形態に係るプロジェクタ１によれば、収納体１０内には光源１１０が配置されていないため、収納体１０内の液晶パネル１２２，１２３，１２４を効率良く冷却することができる。また、冷却液及び窒素ガスにより収納体１０内の液晶パネル１２２，１２３，１２４を冷却するため、放熱効率の高いプロジェクタ１となるので、収納体１０内の液晶パネル１２２，１２３，１２４の冷却に必要な窒素ガスの流量を減らすことができる。したがって、クロスフローファン１７の大きさ及び駆動を最小限に抑えることができ、プロジェクタ１全体の小型化及び静音化が可能となる。
さらには、冷却液及び窒素ガスは共通の冷却装置２０により冷却されるため、プロジェクタ１全体の小型化を図ることが可能となる。また、収納体１０は密閉されているため、収納体１０内を窒素ガスが循環する際、塵埃等の侵入がないので、収納体内の光学素子を良好な状態に保つことができる。
【００３９】
また、気体冷却フィン２１が複数のフィン２１ｃを有しているため、収納体１０内の窒素ガスはフィン２１ｃにより拡散される。したがって、このフィン２１ｃにより、クロスフローファン１７だけでなく、窒素ガスは循環されるので、クロスフローファン１７の駆動を最小限に抑えることができるため、クロスフローファン１７の駆動による騒音をさらに抑えることが可能となる。
【００４０】
また、気体として窒素ガスを用いることにより、収納体１０内の酸素が除去されるため、水分に起因する液晶パネル１２２，１２３，１２４の劣化を抑えることができ、その結果、液晶パネル１２２，１２３，１２４の信頼性が向上する。なお、気体としては、アルゴンガス等の不活性ガスであっても良い。
【００４１】
［第２実施形態］
次に、本発明に係る第２実施形態について、図６及び図７を参照して説明する。なお、以下に説明する各実施形態において、上述した第１実施形態に係るプロジェクタ１と構成を共通とする箇所には同一符号を付けて、説明を省略することにする。
本実施形態に係るプロジェクタでは、リザーブタンク２２が収納体１０内に配置されている点で第１実施形態と異なる。
【００４２】
プロジェクタ５０は、図６及び図７に示すように、クロスダイクロイックプリズム１２５の下面１２５ａにリザーブタンク２２が配置されており、また、収納体１０の底面１０ａに気体冷却フィン２１が配置されている。すなわち、リザーブタンク２２及び気体冷却フィン２１が収納体１０内に収納されている。
リザーブタンク２２と気体冷却フィン２１との間には、ヒートパイプ５１が設けられ、このヒートパイプ５１は、リザーブタンク２２と気体冷却フィン２１とを熱的に接続している。さらに、ヒートパイプ５１は、収納体１０の外部に設けられたヒートシンク２３と熱的に接続されている。
【００４３】
次に、以上の構成からなる本実施形態のプロジェクタを用いて、液晶パネル１２２，１２３，１２４を冷却液及び窒素ガスにより冷却する方法について説明する。
第１実施形態と同様にして、リザーブタンク２２に流入した暖められた冷却液は、ヒートパイプ５１を介してヒートシンク２３より放熱される。
次に、窒素ガスによる液晶パネル１２２，１２３，１２４の冷却について説明する。
収納体１０内の窒素ガスは、図７の矢印で示すように、流路２１ｄに沿って、それぞれの液晶パネル１２２，１２３，１２４に向かい、暖められた窒素ガスは、第１実施形態と同様に、気体冷却フィン２１に熱が伝達され、ヒートパイプ５１を介してヒートシンク２３より放熱される。
【００４４】
本実施形態に係るプロジェクタによれば、収納体１０内にリザーブタンク２２が配置されているため、収納体１０の配置が容易になる。また、ヒートパイプ５１により、ヒートシンク２３を外装ケース２の空いたスペースの大きさ応じて配置することができるので、ヒートシンク２３の大きさや配置の自由度が増すため、よりプロジェクタ全体を小型化することが可能となる。
【００４５】
なお、本発明の技術範囲は上記実施形態に限定されるものではなく、本発明の趣旨を逸脱しない範囲において種々の変更を加えることが可能である。
例えば光学素子として透過型の液晶パネルを用いて説明したが、光学素子として入射側偏光板及び射出側偏光板を冷却することも可能である。この場合も液晶パネル４と同様に、入射側偏光板及び射出側偏光板の周囲に冷却管を設け、冷却することも可能である。
また、冷却装置の配置に制約がある場合や液晶パネルの発熱が小さい場合には、気体冷却フィンとリザーブタンクとは少なくとも一部が熱的に接続されていれば良く、また、リザーブタンクとヒートシンクとは、少なくとも一部が熱的に接続されていれば良い。
さらに、液体として水溶液を用いたが、水溶液以外の液体を用いても良い。また、投射レンズ１２６が収納体１０の内部にあっても良い。
【図面の簡単な説明】
【００４６】
【図１】本発明の第１実施形態に係るプロジェクタの概略を示す平面図である。
【図２】図１のプロジェクタの収納体を示す平面図である。
【図３】図２の収納体のＡ−Ａ線における矢視平面図ある。
【図４】図２の収納体のＢ−Ｂ線における矢視平面図ある。
【図５】図１の収納体の放熱部材を示す平面図である。
【図６】本発明の第２実施形態に係るプロジェクタの収納体を示す平面図である。
【図７】本発明の第２実施形態に係るプロジェクタの収納体内を示す平面図である。
【符号の説明】
【００４７】
１…プロジェクタ、２…外装ケース（筐体）、１０…収納体、１１…開口部、１５…冷却管（熱伝達手段）、１６…ポンプ（液体循環手段）、１７…クロスフローファン（気体循環手段）、２０…冷却装置（冷却手段）、２１…気体冷却フィン（放熱部材）、２１ａ…フィン（拡散部）２２…リザーブタンク（液体蓄積部）、２３…ヒートシンク（外部冷却装置）、５１…ヒートパイプ、１３０…フィールドレンズ（光学素子）、１２２，１２３，１２４…液晶パネル（光学素子）
【図１】
2007240646.tif 000003
【図２】
2007240646.tif 000004
【図３】
2007240646.tif 000005
【図４】
2007240646.tif 000006
【図５】
2007240646.tif 000007
【図６】
2007240646.tif 000008
【図７】
2007240646.tif 000009